【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
バックル式ロープ緊張装置であって、座体及び蓋体により本体が構成され、前記本体内部に回転盤と回転ホイール構成部材から構成された単一方向制動機構を設置し、前記回転ホイール上に単一方向ラチェットを設置し、かつネジ受を設け、前記ネジ受上に爪部を設け、前記爪部が前記回転盤の単一方向ラチェット上に当接し、ロープが前記緊張装置中の前記回転盤と前記回転ホイール構成部材から構成された前記単一方向制動機構に穿入され、前記本体の前端部にバックル挿入部が設置され、使用時に迅速に組み合わせる部材と相互に嵌合できることを特徴とする、バックル式ロープ緊張装置。
【請求項２】
前記本体前端部に設置する前記バックル挿入部をバックル挿入槽で代替した、請求項１に記載のバックル式ロープ緊張装置。
【請求項３】
主に座体及び蓋体から本体が構成され、前記本体内部に設置される前記単一方向制動機構が２つのローラー、回転盤、回転ホイール、ネジ受を設けて成り、そのうち、該座体の後端部に出入口を設け、前記出入口の両側にそれぞれネジ孔が設けられ、前記ローラーが前記出入口両側に枢設され、さらに前記座体内部中央に陥没部を設け、前記陥没部中央に槽孔を形成し、前記槽孔に中心軸棒を嵌入して位置決めし、さらに前記座体の前端部に突出片を設け、前記突出片の根元の両側にそれぞれ挿入孔を開設し、前記蓋体後端部に出入口を設け、前記出入口周縁部にネジ孔を開設し、前記蓋体内部中央に陥没部を形成し、該陥没部中央に槽孔を設け、さらに該蓋体上に穿通孔を開設し、蓋体前端部に槽孔を設けると共に、前記回転盤は中央に通孔を備え、前記通孔の傍に位置決め孔を設け、且つ、前記通孔の周縁部に放射状の突出部を設置し、前記回転ホイールは上面に中空部を備え、前記中空部の周縁部に単方向ラチェットを設置し、底面に穿通孔を備えた中心柱体及び放射状の突出部を設置し、前記中心柱体の根元付近に段状部を設け、前記ネジ受は両側に爪部及びバネ固定部をそれぞれ備え、且つ、前記ネジ受上端部にネジ孔を開設し、前記バネ固定部に孔を設け、バネの一端を前記孔に穿置し、他端を前記蓋体の位置決め柱体上に固定すると共に、前記爪部は前記回転ホイールの前記単方向ラチェット上に当接し、前記ネジ受上端部の外面に嵌合平面を形成し、前記ネジ受に回転つまみが連結され、前記回転つまみによる制御を受けて前記ネジ受が回転し、前記蓋体を前記座体上に閉じ合わせ、ネジを下から上に穿通して前記蓋体及び前記座体を一体とし、前記ロープを前記緊張装置底部の出入口の片側から穿入し、前記回転盤及び回転ホイールに掛け回した後、前記出入口の他方の側から穿出することを特徴とする、請求項１に記載のバックル式ロープ緊張装置。  
【請求項４】
前記ネジ受が、前記蓋体の穿通孔から外部に向かって穿出され、ネジを前記回転つまみに穿通して螺合し、前記ネジ受と前記回転つまみが連結されると共に、前記ネジ受の上端部外面に嵌合平面を形成し、前記嵌合平面に前記回転つまみが嵌置される、請求項３に記載のバックル式ロープ緊張装置。
【請求項５】
前記蓋体の前端部にバックル挿入部を設けた、請求項３に記載のバックル式ロープ緊張装置。
【請求項６】
前記蓋体の前端部にバックル挿入槽を設けた、請求項３に記載のバックル式ロープ緊張装置。
【手続補正２】
【補正対象書類名】明細書
【補正対象項目名】全文
【補正方法】変更
【補正の内容】
【発明の詳細な説明】
【発明の名称】バックル式ロープ緊張装置
【技術分野】
【０００１】
本発明は、ボートカバーのバックル式ロープ緊張装置の設計に関し、ボートのカバーに連結して使用すると強風に吹かれてもカバーが外れてしまうことがなく、且つ、緊張装置内に設けたローラーがロープの滑動を円滑にし、袋や類似の物品の開口部をきつく保つのに適しており、自動車カバー、ボートカバーまたは水上バイクカバー等に応用することができる、バックル式ロープ緊張装置に関する。
【背景技術】
【０００２】
日用品やオートバイ、自動車、ボート、水上バイク等の乗り物は、長い間使用せず置いておく場合、防塵布やカバーなどで覆う必要があることがよくあり、そうすることで埃を防いだり、屋外で太陽に晒されて日焼けしてしまい、製品の殼体に亀裂が入ったり、破損したりすることを防ぐことができる。乗り物についていえば、自動車に使用する付属品としての自動車防塵カバーや、ボート上に使用するボートカバーなどがあるが、これらは埃や犬、猫等の小動物が入り込んだりするのを防ぎ、乗り物をきれいに保つことができる。オートバイや水上バイクも特定の形状のカバーがあり、使用しないときには被せておくことができる。
【０００３】
防塵カバーは一般的にオートバイや自動車、ボートの外側に被せて使用されるが、戸外では強風に吹かれてカバーが滑落してしまいやすいため、きつく縛る効果のある固定具が必要となる。
【０００４】
このようなロープの単一方向の滑動を防止する緊張装置の固定端はほとんどがロープを結び掛止して固定する方式を採用しており、使用においては自由端のみ緩めることができるため、固定端に対しその固定作用の解除を迅速且つ便利に行うことができず、使用上の操作方法が制限される。
【０００５】
上述の問題に鑑みて、本発明のロープ緊張装置は、自動車カバーやボートカバーが強風に吹かれて落ちないようにでき、自動車カバー、ボートカバーに用いるロープ緊張装置を提供し、消費者に使用してもらうことを研究開発の動機としている。
【発明の開示】
【発明が解決しようとする課題】
【０００６】
本発明の主な目的は、確実にロープを定点で固定して滑り止めと位置決め効果を形成し、自動車カバーやボートカバーに組み合わせ、ロープを緊張した状態に保ち、強風によりカバーが落ちるのを防ぐ実用的機能を備えた、バックル式ロープ緊張装置を提供することにある。
【０００７】
本発明の別の目的は、緊張装置前端部にバックル挿入部またはバックル挿入槽を結合し、迅速に組み合わせる部材上に設けたバックル挿入部またはバックル挿入槽と相互に嵌合することができる、バックル式ロープ緊張装置を提供することにある。
【課題を解決するための手段】
【０００８】
上述の目的を達するため、本発明のロープ緊張装置の構造は、主に、座体及び蓋体から成る緊張装置本体を備え、この緊張装置内に単一方向制動機構を設け、ロープが単一方向のみに滑動するようにし、前記単一方向制動機構が２つのローラー、回転盤、回転ホイール、ネジ受から構成され、前記ネジ受の二側面上に爪部とバネ固定部を設け、バネ固定部はバネに連動されてネジ受が回転された後弾性的に位置を回復させ、爪部は回転盤の単一方向ラチェットに当接し、ネジ受と蓋体外の回転つまみを連結し、回転つまみによりラチェットの回転を制御し、ロープの単一方向への移動と滑り止め固定機能を形成する。さらに、前記緊張装置本体にはバックル挿入部またはバックル挿入槽を設けることもでき、これにより使用時に迅速に組み合わせる部材と相互に嵌合させることができる。        
【発明を実施するための最良の形態】
【０００９】
本発明のその他特徴及び具体的な実施例について、以下、図面に基づき詳細に説明する。
【００１０】
図１から図３に示すように、本発明の実施例の緊張装置１は、主に座体１０、蓋体２０、回転盤３０、回転ホイール３５、ネジ受４０を含む。前記緊張装置１は前端部に設有バックル挿入部２３を備え、ベルト６１上に設けられたバックル挿入槽２４内に対応して挿入することができる。そのうち、座体１０の後端部にロープの出入口１１を設け、この出入口１１の両側にネジ孔１８をそれぞれ設け、ネジ１９を下から上に穿設することができ、且つ、各ネジ１９は座体内でローラー１３を通り、蓋体２０のネジ孔２８に螺合される（図４参照）。ローラー１３は、出入口１１の左右両側にそれぞれ１つずつ軸支され、ロープ６０（図７参照）の滑動時に摩擦による破損の発生を防止することができる。座体１０内部中央に陥没部１２を設け、同時に、この陥没部１２中央に槽孔１６を形成し、この槽孔１６に中心軸棒１７を嵌入して位置決めすると共に、座体１０の前端部に突出片１５を設け、且つ、この突出片１５の根元位置両側に挿入孔１４をそれぞれ設置する。
【００１１】
図２、図４に示すように、蓋体２０は座体１０と輪郭を合わせて閉じ合わされ、この蓋体２０上に穿通孔２１を設け、さらに座体１０同様に蓋体後端部には出入口２２を形成し、前端部には突出片２３を設ける。前端部にはバックル挿入部２３を設け、２つの槽孔２５を前記バックル挿入部２３後方に開設し、座体１０と蓋体２０を閉じ合わせた後、ネジ１９を下から上へ挿入孔１４に穿通し、槽孔２５に螺合して固定し、位置決め柱体２７（図４参照）を蓋体の特定の位置に設け、穿通孔２１は蓋体上面に突出した管状柱体を備え、この穿通孔２１上に回転つまみ５５及びネジ５６が設置され、このネジ５６は回転つまみ５５に穿通した後ネジ受４０に螺合される。蓋体２０の底面には座体１０同様に陥没部を設け、この陥没部内に穿通孔２１の下端部、位置決め柱体２６及び槽孔２９が設置される。
【００１２】
図２に示すように、回転盤３０は中央に通孔３２を備え、この通孔３２の傍に位置決め孔３１を設け、且つ、通孔３２の周縁部に放射状の突出部３３を設ける。
【００１３】
回転ホイール３５は、上面に中空部３６を備え、この中空部３６の周縁部に単一方向ラチェット３７を設け、底面に穿通孔を備えた中心柱体３９及び放射状の突出部３４（図３参照）を設置し、中心柱体３９の根元付近に段状部３８を設ける。
【００１４】
ネジ受４０は二つの側面上に爪部４１及びバネ固定部４２がそれぞれ設けられ、前記バネ固定部４２に孔を開設し、バネ４３の一端を穿置すると共に、ネジ受４０上端部外側壁面に嵌合平面４４を形成し、ネジ孔４５を上端部に設ける。
【００１５】
組み立て時には、２つのローラー１３をネジ１９により座体１０出入口１１両側のネジ孔１８上に固定し、さらに中心軸棒１７を槽孔１６内に挿入し、回転盤３０、回転ホイール３５に穿通させた後、蓋体２０底面の槽孔２９内に固定し、回転ホイール３５の中心柱体３９を回転盤３０中央の通孔３２に穿置し、同時に、回転ホイール３５の段状部３８を位置決め孔３１に嵌合する。さらに、ネジ受４０の上端部を蓋体２０の穿通孔２１に穿通し、穿通孔２１の外側に回転つまみ５５を設置し、ネジ５６を回転つまみ５５に穿通させた後ネジ受４０上のネジ孔４５に螺合して一体とする。ネジ受４０の上端部に設けた嵌合平面４４が回転つまみ５５底面に設けた対応する非円形槽孔（図には未表示）に嵌入され、回転つまみ５５を回転させると、同時にネジ受４０を回転させることができる。ネジ受４０のバネ固定部４２上に連結されたバネ４３の別の一端は蓋体２０底面の位置決め柱体２７（図４参照）上に固定され、蓋体２０を座体１０上に閉じ合わせ、ネジ１９を下から上に挿入孔１４に穿通して槽孔２５(図４参照)に螺合して固定し、２つの殼体を一体として結合させ、緊張装置１の組み立てが完了する。
【００１６】
図５から図７に示すように、ロープ６０を緊張装置１の出入口１１、２２から穿入し、反時計回りの方向に回転盤３０の突出部３３及び回転ホイール３５の突出部３４に巻きつけた後、出入口１１、２２から穿出する （図７参照）。回転つまみ５５が回転しないとき（図５参照）、ネジ受４０の爪部４１が回転ホイール３５の単一方向ラチェット３７に当接されるため、回転ホイール３５は単一方向（反時計回り）のみに回動でき、爪部４１が各単一方向ラチェット３７上で摺動し、ロープ６０はＡ端のみから引き出すことができる（図５参照）。Ｂ端から引き出そうとしても、爪部４１が単一方向ラチェット３７上に引っ掛かり、ロープが時計回り方向に回転して引き出されることはないため、緊張装置の滑り止め効果が形成される。回転つまみ５５を殼体の外側で手動で回転させると、爪部４１が上方向へ持ち上がり単一方向ラチェット３７から離脱するため、ロープ６０をＢ端から引き出すことができる（図６参照）。
【００１７】
図８、図９に示すように、本発明の緊張装置１をボートカバー７０上に応用して使用し、ボートカバーで船体７１を覆う際は、ボートカバーの周縁部に複数のベルト６１を縫いつけておき、これらのベルト６１の末端はすべてバックル挿入槽２４が設けられているため、船体７１が運搬台７２で運ばれるとき、運搬台７２上の周辺横棒７３上にロープ６０をくくりつけ、ロープ６０を緊張装置１内部に通し、緊張装置１上のバックル挿入部２３をバックル挿入槽２４に連結し、続いて出口位置のロープ端Ｘを引くと迅速に緊張装置１によりロープを緊張させて固定することができる。このように、ベルト６１がしっかりとボートカバー７０を引っ張り、船体７１が運搬台７２上に載せられて高速で運搬されるときにボートカバーが強風に吹き飛ばされないようにすることができる。
【００１８】
図１０に示すように、本発明の別の応用例においては、別途組み合わせる部材を緊張装置１の前端部にバックル挿入槽２４を結合したものとして設計し、２つの異なる緊張装置１の前端部にそれぞれ結合されたバックル挿入部２３とバックル挿入槽２４を利用して迅速にバックルを結合させることができる。
【００１９】
上述のように、本発明は確実に発明が意図する目的を達することができ、実用的価値があることは疑いがなく、ここに法に基づき特許を出願するものである。
【図面の簡単な説明】
【００２０】
【図１】本発明の立体外観図である。
【図２】本発明の立体分解図である。
【図３】本発明の側面図である。
【図４】本発明の蓋体内側の立体斜視図である。
【図５】本発明のロープを滑動させる動作を示す上面透視図である。
【図６】本発明のロープを位置決めする動作を示す上面透視図である。
【図７】本発明の実施例１にロープを巻きつけた状態を示す底面透視図である。
【図８】本発明のボートカバーへの応用を示す側面図である。
【図９】本発明のボートカバーへの応用を示す上面図である。
【図１０】本発明の別の応用例を示す立体斜視図である。
【符号の説明】
【００２１】
１        緊張装置
１０      座体
１１      出入口
１２      陥没部
１３      ローラー
１４      挿入孔                
１５      突出片
１６      槽孔                
１７      中心軸棒
１８      ネジ孔                
１９      ネジ
２０      蓋体                
２１      穿通孔
２２      出入口              
２３      バックル挿入部
２４      バックル挿入槽                
２５      槽孔
２７      位置決め柱体
２８      ネジ孔                
２９      槽孔
３０      回転盤                
３１      位置決め孔
３２      通孔                
３３      突出部
３４      突出部                
３５      回転ホイール
３６      中空部              
３７      単一方向ラチェット
３８      段状部                
３９      中心柱体
４０      ネジ受                
４１      爪部
４２      バネ固定部                
４３      バネ
４４      嵌合平面            
４５      ネジ孔
５５      回転つまみ                
５６      ネジ
６０      ロープ                
６１      ベルト
７０      ボートカバー                
７１      船体
７２      運搬台            
７３      周辺横棒
【手続補正３】
【補正対象書類名】図面
【補正対象項目名】図１１
【補正方法】削除
【補正の内容】
【手続補正４】
【補正対象書類名】図面
【補正対象項目名】図１２
【補正方法】削除
【補正の内容】
【手続補正５】
【補正対象書類名】図面
【補正対象項目名】図１３
【補正方法】削除
【補正の内容】
【手続補正６】
【補正対象書類名】図面
【補正対象項目名】図１４
【補正方法】削除
【補正の内容】
【手続補正７】
【補正対象書類名】図面
【補正対象項目名】図１５
【補正方法】削除
【補正の内容】
【手続補正８】
【補正対象書類名】図面
【補正対象項目名】図１６
【補正方法】削除
【補正の内容】